(57)【要約】１又はそれ以上のサーバ（１１）は、第１又は第２のセルラー通信ネットワーク（３、４）を介して、複数の無線端末（２）の各々で実行されている１又はそれ以上のアプリケーションと通信する。１又はそれ以上のサーバ（１１）は、各アプリケーションに関連付けられた優先度、各無線端末（２）に関連付けられた優先度、及び複数の無線端末（２）が属する組織に関連付けられた優先度のうち１つ又は任意の組み合わせに基づいて、１又はそれ以上のサーバ（１１）と通信するために使用されるセルラー通信ネットワークを第１及び第２のセルラー通信ネットワーク（３、４）から選択するために各無線端末（２）により使用されるネットワーク選択パラメータを決定し、これを各無線端末（２）に送る。これにより、例えば、パブリックセーフティ・サービスに関する優先度ハンドリングを複数のセルラー通信ネットワークの間の選択に反映できる。
2020194940.tif 000002
【特許請求の範囲】
【請求項１】
１又はそれ以上のサーバを備えるシステムであって、
前記１又はそれ以上のサーバは、
第１のセルラー通信ネットワーク又は第２のセルラー通信ネットワークを介して、複数の無線端末の各々で実行されている１又はそれ以上のクライアント・アプリケーションと通信するよう構成され、
各クライアント・アプリケーションに関連付けられたアプリケーション優先度、各無線端末に関連付けられたデバイス優先度、及び前記複数の無線端末が属する組織に関連付けられた組織優先度のうち１つ又は任意の組み合わせに基づいて、前記システムと通信するために使用されるセルラー通信ネットワークを前記第１及び第２のセルラー通信ネットワークから選択するために各無線端末により使用されるネットワーク選択パラメータを決定するよう構成され、
前記ネットワーク選択パラメータを各無線端末に通知するよう構成される、
システム。
【請求項２】
前記ネットワーク選択パラメータは、前記第１のセルラー通信ネットワークの無線品質及び前記第２のセルラー通信ネットワークの無線品質を比較する際に、これら２つの無線品質のいずれかに加算されるオフセット値である、
請求項１に記載のシステム。
【請求項３】
前記少なくとも１つのサーバは、前記アプリケーション優先度、前記デバイス優先度、及び前記組織優先度のうち少なくとも２つを用いて前記ネットワーク選択パラメータを決定するよう構成される、
請求項１又は２に記載のシステム。
【請求項４】
前記少なくとも１つのサーバは、前記アプリケーション優先度、前記デバイス優先度、及び前記組織優先度のうち少なくとも１つを前記第１又は第２のセルラー通信ネットワークの負荷に依存して更新し、これにより前記ネットワーク選択パラメータを更新するよう構成される、
請求項１〜３のいずれか１項に記載のシステム。
【請求項５】
前記少なくとも１つのサーバは、前記アプリケーション優先度、前記デバイス優先度、及び前記組織優先度のうち１つ又は任意の組み合わせから前記ネットワーク選択パラメータを導出するためのルール又は計算式を前記セルラー通信ネットワークの負荷に依存して更新し、これにより前記ネットワーク選択パラメータを更新するよう構成される、
請求項１〜３のいずれか１項に記載のシステム。
【請求項６】
前記少なくとも１つのサーバは、前記アプリケーション優先度、前記デバイス優先度、及び前記組織優先度のうち少なくとも１つを所定のイベントの発生に応答して更新し、これにより前記ネットワーク選択パラメータを更新するよう構成される、
請求項１〜５のいずれか１項に記載のシステム。
【請求項７】
前記少なくとも１つのサーバは、前記アプリケーション優先度、前記デバイス優先度、及び前記組織優先度のうち１つ又は任意の組み合わせから前記ネットワーク選択パラメータを導出するためのルール又は計算式を所定のイベントの発生に依存して更新し、これにより前記ネットワーク選択パラメータを更新するよう構成される、
請求項１〜６のいずれか１項に記載のシステム。
【請求項８】
前記１又はそれ以上のサーバは、Push to Talk（PTT）server、Session Initiation Protocol（SIP）server、及びGroup Communication System Application Server (GCS AS)のうち１つ又は任意の組み合わせを含む、
請求項１〜７のいずれか１項に記載のシステム。
【請求項９】
前記第１のセルラー通信ネットワークは、Public Safety Long Term Evolution（PS-LTE）ネットワークであり、
前記第２のセルラー通信ネットワークは、商用LTEネットワークである、
請求項１〜８のいずれか１項に記載のシステム。
【請求項１０】
前記少なくとも１つのサーバは、前記アプリケーション優先度、前記デバイス優先度、及び前記組織優先度のうち少なくとも１つを災害イベントの発生に応答して更新し、これにより前記ネットワーク選択パラメータを更新するよう構成される、
請求項９に記載のシステム。
【請求項１１】
前記少なくとも１つのサーバは、前記アプリケーション優先度、前記デバイス優先度、及び前記組織優先度のうち１つ又は任意の組み合わせから前記ネットワーク選択パラメータを導出するためのルール又は計算式を災害イベントの発生に応答して更新し、これにより前記ネットワーク選択パラメータを更新するよう構成される、
請求項９又は１０に記載のシステム。
【請求項１２】
前記第１のセルラー通信ネットワークは、プライベートLong Term Evolution（LTE）ネットワークであり、
前記第２のセルラー通信ネットワークは、公衆LTEネットワークである、
請求項１〜８のいずれか１項に記載のシステム。
【請求項１３】
１又はそれ以上のサーバを備えるシステムにより行われる方法であって、
第１のセルラー通信ネットワーク又は第２のセルラー通信ネットワークを介して、複数の無線端末の各々で実行されている１又はそれ以上のクライアント・アプリケーションと通信すること、
各クライアント・アプリケーションに関連付けられたアプリケーション優先度、各無線端末に関連付けられたデバイス優先度、及び前記複数の無線端末が属する組織に関連付けられた組織優先度のうち１つ又は任意の組み合わせに基づいて、前記システムと通信するために使用されるセルラー通信ネットワークを前記第１及び第２のセルラー通信ネットワークから選択するために各無線端末により使用されるネットワーク選択パラメータを決定すること、及び
前記ネットワーク選択パラメータを各無線端末に通知すること、
を備える方法。
【請求項１４】
前記ネットワーク選択パラメータは、前記第１のセルラー通信ネットワークの無線品質及び前記第２のセルラー通信ネットワークの無線品質を比較する際に、これら２つの無線品質のいずれかに加算されるオフセット値である、
請求項１３に記載の方法。
【請求項１５】
１又はそれ以上のコンピュータにより実行されたときに、前記１又はそれ以上のコンピュータに請求項１３又は１４に記載の方法を行わせるよう構成された複数のコンピュータ読み取り可能な命令を備える１又はそれ以上のプログラムのセットを格納した１又はそれ以上の非一時的なコンピュータ可読媒体。
【請求項１６】
無線端末装置であって、
少なくとも１つのメモリと、
前記メモリに結合された少なくとも１つのプロセッサと、
を備え、
前記少なくとも１つのプロセッサは、
１又はそれ以上のクライアント・アプリケーションを実行し、第１のセルラー通信ネットワーク又は第２のセルラー通信ネットワークを介して、１又はそれ以上のサーバを含むシステムで実行されている１又はそれ以上のサーバ側アプリケーションと通信するよう構成され、
各クライアント・アプリケーションに関連付けられたアプリケーション優先度、前記無線端末装置に関連付けられたデバイス優先度、及び前記無線端末装置を含む複数の無線端末が属する組織に関連付けられた組織優先度のうち１つ又は任意の組み合わせに基づいて決定されたネットワーク選択パラメータを、前記システムから受信するよう構成され、
前記１又はそれ以上のサーバ側アプリケーションと通信するために使用されるセルラー通信ネットワークを前記第１及び第２のセルラー通信ネットワークから前記ネットワーク選択パラメータに基づいて選択するよう構成される、
無線端末装置。
【請求項１７】
前記ネットワーク選択パラメータは、前記第１のセルラー通信ネットワークの無線品質及び前記第２のセルラー通信ネットワークの無線品質を比較する際に、これら２つの無線品質のいずれかに加算されるオフセット値である、
請求項１６に記載の無線端末装置。
【請求項１８】
前記第１のセルラー通信ネットワークは、Public Safety Long Term Evolution（PS-LTE）ネットワークであり、
前記第２のセルラー通信ネットワークは、商用LTEネットワークである、
請求項１６又は１７に記載の無線端末装置。
【請求項１９】
無線端末装置により行われる方法であって、
１又はそれ以上のクライアント・アプリケーションを実行し、第１のセルラー通信ネットワーク又は第２のセルラー通信ネットワークを介して、１又はそれ以上のサーバを含むシステムで実行されている１又はそれ以上のサーバ側アプリケーションと通信すること、
各クライアント・アプリケーションに関連付けられたアプリケーション優先度、前記無線端末装置に関連付けられたデバイス優先度、及び前記無線端末装置を含む複数の無線端末が属する組織に関連付けられた組織優先度のうち１つ又は任意の組み合わせに基づいて決定されたネットワーク選択パラメータを、前記システムから受信すること、及び
前記１又はそれ以上のサーバ側アプリケーションと通信するために使用されるセルラー通信ネットワークを前記第１及び第２のセルラー通信ネットワークから前記ネットワーク選択パラメータに基づいて選択すること、
を備える方法。
【請求項２０】
前記ネットワーク選択パラメータは、前記第１のセルラー通信ネットワークの無線品質及び前記第２のセルラー通信ネットワークの無線品質を比較する際に、これら２つの無線品質のいずれかに加算されるオフセット値である、
請求項１９に記載の方法。
【請求項２１】
前記第１のセルラー通信ネットワークは、Public Safety Long Term Evolution（PS-LTE）ネットワークであり、
前記第２のセルラー通信ネットワークは、商用LTEネットワークである、
請求項１９又は２０に記載の方法。
【請求項２２】
１又はそれ以上のコンピュータにより実行されたときに、前記１又はそれ以上のコンピュータに請求項１９〜２１のいずれか１項に記載の方法を行わせるよう構成された複数のコンピュータ読み取り可能な命令を備える１又はそれ以上のプログラムのセットを格納した１又はそれ以上の非一時的なコンピュータ可読媒体。
【発明の詳細な説明】
【技術分野】
【０００１】
本開示は、無線通信に関し、特に複数のセルラー通信ネットワークの間での選択に関する。
【背景技術】
【０００２】
公衆安全ネットワーク（public safety network）のためにLong Term Evolution（LTE）ネットワークを使用することが検討されている。公衆安全ネットワークとは、警察、消防、救急などの緊急サービス、並びに自治体、電力、ガス、水道など公共性の高い用途に使用される無線通信ネットワークである。公衆安全ネットワークのためのLTEシステムは、Public Safety LTE（PS-LTE）と呼ばれる。Third Generation Partnership Project（3GPP）は、PS-LTEの主要な特徴の１つであるMission Critical Push-to-Talk（MCPTT）を定義している（例えば非特許文献１を参照）。MCPTTアーキテクチャは、Group Communication System for LTE（GCSE_LTE）アーキテクチャの特徴（aspect）を使用し、さらにIP Multimedia Subsystem（IMS）アーキテクチャ及びProximity-based Services（ProSe）アーキテクチャの特徴（aspect）を使用する。GCSE_LTEは、グループ通信（group communication）を可能とする（例えば非特許文献２を参照）。【０００３】
PS-LTEネットワーク又はシステムは、LTEネットワーク上でパブリックセーフティ・サービスを提供するために必要なアプリケーション（applications）、サービス（services）、能力（capabilities）、及び機能（functionalities）を提供するハードウェア・エンティティ（hardware entities）の集まり（collection）であると言うことができる。PS-LTEネットワーク又はシステムは、公衆LTEネットワーク（Public Land Mobile Network（PLMN））、プライベートLTEネットワーク、又はこれらの組み合わせであってもよい。【０００４】
PS-LTEは、パブリックセーフティ・サービス、例えばPTT serviceを提供する。PTT serviceは、早いセットアップ時間（fast setup times）、高可用性（high availability）、 信頼性（reliability）及び優先度ハンドリング（priority handling）により、パブリックセーフティ組織（Mission Critical Organizations）のための用途（applications）並びに他の企業（businesses）及び組織（organizations）（e.g., 公益企業（public utilities）、鉄道会社（railways））のための用途をサポートするPush To Talk通信サービスである。パブリックセーフティ組織は、例えば、地域警察署（local police department）、及び地域消防署（local fire department）を含む。【０００５】
パブリックセーフティ・サービス（e.g., PTT service）を利用するユーザ（e.g., PTT user）は、パブリックセーフティ・サービスに参加するための能力（capability）を有する無線端末又はデバイス（e.g., PS User Equipment (UE)）を使用する。このようなデバイス（e.g., PS UE）は、パブリックセーフティ・サービスに参加することをユーザに可能にする。パブリックセーフティ・サービス・ユーザは、例えば、警察官及び消防士を含む。【０００６】
パブリックセーフティ・サービスプロバイダは、パブリックセーフティ組織に提供されるパブリックセーフティ・サービス（e.g., PTT service）のパラメータ（parameters）をコントロールする権限を与えられる。これらのパラメータは、例えば、ユーザ及びグループの定義、ユーザ優先度（user priorities）、グループ・メンバーシップ／優先度（priorities）／階層（hierarchies）、並びにセキュリティ及びプライバシー制御を含む。パブリックセーフティ・サービス・プロバイダは、パブリックセーフティ・サービス・アドミニストレータと呼ぶこともできる。【０００７】
パブリックセーフティ・サービス・ユーザ、パブリックセーフティ組織、及びパブリックセーフティ・サービス・プロバイダのビジネス関係（business relationships）は次のとおりである。パブリックセーフティ・サービス・ユーザは、ユーザ契約（agreement）に基づいて１つのパブリックセーフティ組織に属する。パブリックセーフティ組織は、サービス契約（agreement）に基づいて、パブリックセーフティ・サービス・プロバイダからパブリックセーフティ・サービスの提供を受ける。なお、パブリックセーフティ・サービス・ユーザは、パブリックセーフティ・サービスプロバイダとの直接的なユーザ契約及びサービス契約を持つこともできる。パブリックセーフティ組織及びパブリックセーフティ・サービス・プロバイダは、同じ組織の一部であってもよい。さらに又はこれに代えて、パブリックセーフティ・サービス・プロバイダ及びPS-LTEネットワーク・オペレータは、同じ組織の一部であってもよい。
【先行技術文献】
【非特許文献】
【０００８】
【非特許文献１】3GPP TS 23.179 V13.5.0 (2017-03), “3rd Generation Partnership Project; Technical Specification Group Services and System Aspects; Functional architecture and information flows to support mission critical communication services; Stage 2 (Release 13)”, March 2017
【非特許文献２】3GPP TS 23.468 V15.0.0 (2017-12), “3rd Generation Partnership Project;Technical Specification Group Services and System Aspects; Group Communication System Enablers for LTE (GCSE_LTE); Stage 2 (Release 15)”, December 2017
【発明の概要】
【発明が解決しようとする課題】
【０００９】
パブリックセーフティ・サービスを提供するPS-LTEは、公衆（public）LTEネットワークとは独立したプライベートLTEネットワークであることが好ましいかもしれない。しかしながら、プライベートLTEネットワークのみでは、十分なカバレッジを確保することが難しいかもしれない。【００１０】
発明者等は、公衆安全プライベートLTEネットワークのカバレッジを補完してPSデバイス（i.e., UEs）の接続性（connectivity）を向上するために、公衆（public）（又は商用（commercial））LTEインフラストラクチャを使用することについて検討した。この場合、PS-LTEネットワーク又はシステムは、プライベートLTEネットワーク及び公衆（又は商用）LTEネットワークを共に使用し、各PSデバイス（UE）との通信のために２つのLTEネットワークのうちいずれか又は両方を使用する。一形態では、Mobile Virtual Network Operator（MVNO）アプローチが使用されてもよい。具体的には、PS-LTEネットワーク又はシステムは、Mobile Network Operator（MNO）の公衆LTEインフラストラクチャの一部を借り受け、MNOのLTEネットワークを介してPSデバイスと通信してもよい。【００１１】
ところで、パブリックセーフティ・サービスを提供するPS-LTEネットワーク又はシステムでは、ビジネス関係に関する様々な階層での優先度ハンドリングが必要とされる。具体的には、例えば、複数のパブリックセーフティ組織の間、複数のパブリックセーフティ・サービス・ユーザ（又はデバイス（UEs））の間、及び複数のパブリックセーフティ・サービス・アプリケーションの間での優先度ハンドリングが必要とされる。複数のパブリックセーフティ・サービス・アプリケーションは、例えば、PTTアプリケーション、push-to-videoアプリケーション、ボイス通話アプリケーション、ビデオ通話アプリケーション、及びインスタント・メッセージング・アプリケーションを含む。【００１２】
複数のUEsと通信するために複数のLTEネットワークを利用可能なPS-LTEシステムでは、上述の様々な階層での優先度ハンドリングが各UEとの通信のために使用されるLTEネットワークの選択において考慮されることが好ましい。本明細書に開示される実施形態が達成しようとする目的の１つは、パブリックセーフティ・サービスに関する優先度ハンドリングを複数のセルラー通信ネットワークの間の選択に反映することに寄与する装置、方法、及びプログラムを提供することである。なお、この目的は、本明細書に開示される複数の実施形態が達成しようとする複数の目的の１つに過ぎないことに留意されるべきである。その他の目的又は課題と新規な特徴は、本明細書の記述又は添付図面から明らかにされる。
【課題を解決するための手段】
【００１３】
第１の態様では、システムは、１又はそれ以上のサーバを含む。これら１又はそれ以上のサーバは、第１のセルラー通信ネットワーク又は第２のセルラー通信ネットワークを介して、複数の無線端末の各々で実行されている１又はそれ以上のクライアント・アプリケーションと通信するよう構成される。さらに、これら１又はそれ以上のサーバは、各クライアント・アプリケーションに関連付けられたアプリケーション優先度、各無線端末に関連付けられたデバイス優先度、及び前記複数の無線端末が属する組織に関連付けられた組織優先度のうち１つ又は任意の組み合わせに基づいて、前記システムと通信するために使用されるセルラー通信ネットワークを前記第１及び第２のセルラー通信ネットワークから選択するために各無線端末により使用されるネットワーク選択パラメータを決定するよう構成される。さらにまた、これら１又はそれ以上のサーバは、前記ネットワーク選択パラメータを各無線端末に通知するよう構成される。【００１４】
第２の態様では、１又はそれ以上のサーバを含むシステムにより行われる方法は、以下を含む：
（ａ）第１のセルラー通信ネットワーク又は第２のセルラー通信ネットワークを介して、複数の無線端末の各々で実行されている１又はそれ以上のクライアント・アプリケーションと通信すること、
（ｂ）各クライアント・アプリケーションに関連付けられたアプリケーション優先度、各無線端末に関連付けられたデバイス優先度、及び前記複数の無線端末が属する組織に関連付けられた組織優先度のうち１つ又は任意の組み合わせに基づいて、前記システムと通信するために使用されるセルラー通信ネットワークを前記第１及び第２のセルラー通信ネットワークから選択するために各無線端末により使用されるネットワーク選択パラメータを決定すること、及び
（ｃ）前記ネットワーク選択パラメータを各無線端末に通知すること。【００１５】
第３の態様では、無線端末装置は、少なくとも１つのメモリ及び前記メモリに結合された少なくとも１つのプロセッサを含む。前記少なくとも１つのプロセッサは、１又はそれ以上のクライアント・アプリケーションを実行し、第１のセルラー通信ネットワーク又は第２のセルラー通信ネットワークを介して、１又はそれ以上のサーバを含むシステムで実行されている１又はそれ以上のサーバ側アプリケーションと通信するよう構成される。さらに、前記少なくとも１つのプロセッサは、各クライアント・アプリケーションに関連付けられたアプリケーション優先度、前記無線端末装置に関連付けられたデバイス優先度、及び前記無線端末装置を含む複数の無線端末が属する組織に関連付けられた組織優先度のうち１つ又は任意の組み合わせに基づいて決定されたネットワーク選択パラメータを、前記システムから受信するよう構成される。さらにまた、前記少なくとも１つのプロセッサは、前記１又はそれ以上のサーバ側アプリケーションと通信するために使用されるセルラー通信ネットワークを前記第１及び第２のセルラー通信ネットワークから前記ネットワーク選択パラメータに基づいて選択するよう構成される。【００１６】
第４の態様では、無線端末装置により行われる方法は、以下を含む：
（ａ）１又はそれ以上のクライアント・アプリケーションを実行し、第１のセルラー通信ネットワーク又は第２のセルラー通信ネットワークを介して、１又はそれ以上のサーバを含むシステムで実行されている１又はそれ以上のサーバ側アプリケーションと通信すること、
（ｂ）各クライアント・アプリケーションに関連付けられたアプリケーション優先度、前記無線端末装置に関連付けられたデバイス優先度、及び前記無線端末装置を含む複数の無線端末が属する組織に関連付けられた組織優先度のうち１つ又は任意の組み合わせに基づいて決定されたネットワーク選択パラメータを、前記システムから受信すること、及び
（ｃ）前記１又はそれ以上のサーバ側アプリケーションと通信するために使用されるセルラー通信ネットワークを前記第１及び第２のセルラー通信ネットワークから前記ネットワーク選択パラメータに基づいて選択すること。【００１７】
第５の態様では、プログラムは、コンピュータに読み込まれた場合に、上述の第２又は第４の態様に係る方法をコンピュータに行わせるための命令群（ソフトウェアコード）を含む。
【発明の効果】
【００１８】
上述の態様によれば、パブリックセーフティ・サービスに関する優先度ハンドリングを複数のセルラー通信ネットワークの間の選択に反映することに寄与する装置、方法、及びプログラムを提供できる。
【図面の簡単な説明】
【００１９】
【図１】幾つかの実施形態に係るセルラー通信ネットワークの構成例を示すブロックである。
【図２】幾つかの実施形態に係るネットワークプラットフォームの構成例を示すブロックである。
【図３】第１の実施形態に係るネットワークプラットフォームの動作の一例を示すフローチャートである。
【図４】第１の実施形態に係る無線端末の動作の一例を示すフローチャートである。
【図５】第２の実施形態に係るネットワークプラットフォームの動作の一例を示すフローチャートである。
【図６】第３の実施形態に係るネットワークプラットフォームの動作の一例を示すフローチャートである。
【図７】第４の実施形態に係るネットワークプラットフォームの動作の一例を示すフローチャートである。
【図８】幾つかの実施形態に係るサーバの構成例を示すブロック図である。
【図９】幾つかの実施形態に係る無線端末の構成例を示すブロック図である。
【発明を実施するための形態】
【００２０】
以下では、具体的な実施形態について、図面を参照しながら詳細に説明する。各図面において、同一又は対応する要素には同一の符号が付されており、説明の明確化のため、必要に応じて重複説明は省略される。
【００２１】
図１は、本実施形態を含む幾つかの実施形態に係るPS-LTEネットワーク又はシステムの構成例を示している。PS-LTEネットワーク又はシステムは、１又はそれ以上のパブリックセーフティ・サービス（e.g., PTTサービス）を提供する。図１の例では、PS-LTEネットワークは、ネットワークプラットフォーム１及び第１のLTEネットワーク３及び第２のLTEネットワーク４を含む。ネットワークプラットフォーム１は、LTEネットワーク３又は４によって提供される１又はそれ以上の通信路を介して、複数の無線端末（UEs）２の各々で実行されている１又はそれ以上のアプリケーション（e.g., PTTクライアント・アプリケーション、及びSession Initiation Protocol（SIP）クライアント・アプリケーション）と通信する。言い換えると、ネットワークプラットフォーム１は、アプリケーションドメインの複数の機能的エンティティを含み、アプリケーションレイヤ（又はアプリケーションサービスレイヤ）においてUEs２と通信する。UEs２は、公共安全（public safety）デバイスとも呼ばれる。
【００２２】
ネットワークプラットフォーム１は、１又はそれ以上のサーバを含む。ネットワークプラットフォーム１に含まれる各サーバは、１又はそれ以上のコンピュータであってもよい。例えば、図２に示されるように、ネットワークプラットフォーム１は、PSサーバ１１、PSユーザデータベース１２、及びSIPコア１３を含んでもよい。PSサーバ１１は、PSサービス（e.g., PTTサービス、push-to-videoサービス）のための集中型（centralized）サポートを提供する。より具体的には、PSサーバ１１は、例えば、PSユーザ認証、UEs２（PS UEs）の位置の追跡（track）を維持すること、及びセルラー通信ネットワークのリソースのUEs２への割り当てを要求することを担当する。PSサーバ１１は、GCSアプリケーションサーバ（AS）の機能を包含してもよい。PSユーザデータベース１２は、PS user profileの情報を包含する。PS user profileは、パブリックセーフティ組織、パブリックセーフティ・サービス・プロバイダ、及び潜在的に（potentially）パブリックセーフティ・サービス・ユーザにより決定される。SIPコア１３は、SIP registrationを担当し、SIP signalling bearer を確立し、各UE２（各UE２上のSIPクライアント）との間でSIPシグナリングメッセージを送受信する。PSユーザデータベース１２は、ネットワークプラットフォーム１外の装置であってもよい。
【００２３】
さらに又はこれに代えて、ネットワークプラットフォーム１は、他のサーバを含んでもよい。例えば、ネットワークプラットフォーム１は、これらに限定されないが、GCSアプリケーションサーバ（AS）を含んでもよいし、SIPデータベースを含んでもよい。GCS ASは、EPS bearer service又はMBMS bearer service を利用して、UEsのグループへのアプリケーション・シグナリングの転送およびアプリケーション・データの配信を行う。SIPデータベースは、SIPコア１３により必要とされるSIP加入者情報（SIP subscriptions）及び認証情報を包含する。
【００２４】
第１のLTEネットワーク３は、コアネットワーク（i.e., Evolved Packet Core（EPC））３１及び無線アクセスネットワーク（i.e., Evolved Universal Terrestrial Radio Access Network（E-UTRAN））３２を含む。EPC３１は、複数のノードを含み、これらは複数のコントールプレーン・ノード及び複数のユーザプレーン（又はデータプレーン）ノードを含む。EPC３１内の１又はそれ以上のノードはコントールプレーン機能及びユーザプレーン機能の両方を有してもよい。例えば、図１に示されるように、EPC３１は、Packet Data Network Gateway（P-GW）３１１、Serving Gateway（S-GW）３１２、Mobility Management Entity３１３、Home Subscriber Server（HSS）３１４、Policy and Charging Rules Function（PCRF）３１５、Broadcast Multicast Service Center（BM-SC）３１６、及びMBMS Gateway（MBMS GW）３１７を含んでもよい。E-UTRAN３２は、基地局（eNodeB（eNB））３２１を含む。図１には明示されていないが、当然に、EPC３１は複数のS-GW３１２を含んでもよく、E-UTRAN３２は複数のeNB３２１を含んでもよい。
【００２５】
第２のLTEネットワーク４は、EPC４１及びE-UTRAN４２を含む。図１では省略されているが、EPC４１はEPC３１と同様のコアネットワーク・ノードを含んでもよく、E-UTRAN４２はE-UTRAN３２と同様のRANノードを含んでもよい。
【００２６】
幾つかの実装では、第１のLTEネットワーク３は、PS-LTE用途のために特別に構築されたプライベートLTEネットワークであってもよく、一方第２のLTEネットワーク４は公衆又は商用LTEネットワークであってもよい。この場合、既に説明したように、MNOインフラストラクチャ又はリソースを借りたMVNOネットワークであってもよい。
【００２７】
本実施形態では、各UE２は、複数の通信モデムを有し、第１のLTEネットワーク３及び第２のLTEネットワーク４のための複数のUniversal Integrated Circuit Cards （UICCs）（又はSubscriber Identity Module (SIM) cards）を使用し、２つのLTEネットワーク３及び４に同時に接続するよう構成されてもよい。これに代えて、各UE２は、２つのLTEネットワーク３及び４のどちらか一方に選択的に接続するよう構成されてもよい。
【００２８】
図３は、本実施形態に係るネットワークプラットフォーム１の動作の一例を示している。図３に示された動作は、ネットワークプラットフォーム１内の１つのサーバ（e.g., PSサーバ１１）により行われてもよいし、複数のサーバ（e.g., PSサーバ１１及びPSユーザデータベース１２）により行われてもよい。
【００２９】
ステップ３０１では、ネットワークプラットフォーム１は、組織優先度、デバイス優先度、及びアプリケーション優先度のうち１つ又は任意の組み合わせに基づいて、ネットワークプラットフォーム１と通信するためのLTEネットワークをセルラー通信ネットワーク３及び４から選択するために各UE２により使用されるネットワーク選択パラメータを決定する。ネットワーク選択パラメータは、UE２毎に決定されてもよいし、複数のUEsのグループ毎に決定されてもよい。
【００３０】
組織優先度は、PS-LTEネットワークによって提供されるパブリックセーフティ・サービスを使用する複数のパブリックセーフティ組織（e.g., 複数の地域警察署及び複数の地域消防署）の各々の優先度（優先度レベル）である。組織優先度は、これら複数のパブリックセーフティ組織の間の優先度ハンドリングのために使用される。
【００３１】
デバイス優先度は、１つのパブリックセーフティ組織に属する各ユーザによって使用される各UE２の優先度（優先度レベル）である。デバイス優先度は、複数のUEs２の間の優先度ハンドリングのために使用される。
【００３２】
アプリケーション優先度は、各UE２上で実行される各パブリックセーフティ・サービス・アプリケーション（又は各UE２に提供される各アプリケーションサービス）の優先度（優先度レベル）である。アプリケーション優先度は、複数のアプリケーションの間の優先度ハンドリングのために使用される。複数のパブリックセーフティ・サービス・アプリケーションは、例えば、PTTアプリケーション、push-to-videoアプリケーション、ボイス通話アプリケーション、ビデオ通話アプリケーション、及びインスタント・メッセージング・アプリケーションの任意の組み合わせを含む。
【００３３】
好ましくは、ネットワークプラットフォーム１は、組織優先度、デバイス優先度、及びアプリケーション優先度のうち少なくとも２つを用いてネットワーク選択パラメータを決定してもよい。この場合、考慮される複数の優先度は、異なる係数（factors）によって重み付け（weighted）されてもよい。
【００３４】
幾つかの実装において、ネットワークプラットフォーム１は、パブリックセーフティ・サービス・ユーザの情報を管理するサーバ（e.g., PSユーザデータベース１２）から、組織優先度、デバイス優先度、及びアプリケーション優先度を取得してもよい。
【００３５】
図３に戻ると、ステップ３０２では、ネットワークプラットフォーム１は、ステップ３０１で決定されたネットワーク選択パラメータを１又はそれ以上のUEs２に送る。
【００３６】
図４は、本実施形態に係るUE２の動作の一例を示している。ステップ４０１では、UE２は、ネットワーク選択パラメータをネットワークプラットフォーム１から受信する。ステップ４０２では、UE２は、受信したネットワーク選択パラメータに基づいて、第１及び第２のLTEネットワーク３及び４から１つをシステム１と通信するために選択する。
【００３７】
幾つかの実装では、UE２は、第１及び第２のLTEネットワーク３及び４の両方にアタッチ済み（i.e., EMM-REGISTERED）であり且つアイドルモード（i.e., RRC_IDLE）であるときに、コネクテッドモード（i.e., RRC_CONNECTD）に遷移するために当該ネットワーク選択を行ってもよい。さらに又はこれに代えて、UE２は、第１及び第２のLTEネットワーク３及び４のいずれにもアタッチしていない（i.e., EMM-DEREGISTERED）ときにアタッチするネットワークを決定するために当該ネットワーク選択を行ってもよい。さらに又はこれに代えて、UE２は、第１のLTEネットワーク３においてコネクテッドモード（i.e., RRC_CONNECTD）であるときに、第１のLTEネットワーク４に移動するするために当該ネットワーク選択を行ってもよい。
【００３８】
一例では、ネットワーク選択パラメータは、UE２が第１のLTEネットワーク３の無線品質及び第２のLTEネットワーク４の無線品質を比較する際に、これら２つの無線品質のいずれかに加算（又はいずれかから減算）されるオフセット値であってもよい。これに代えて、ネットワーク選択パラメータは、これら２つの無線品質にそれぞれ加算（又はいずれかから減算）される２つのオフセット値を含んでもよい。LTEネットワークの無線品質は、UE２により測定されたセル受信レベル（i.e., 信号強度）（e.g., Reference Signal Received Power（RSRP））若しくはUE２により測定されたセル品質レベル（i.e., 信号品質）（e.g., Reference Signal Received Quality（RSRQ））、又はこれら両方であってもよい。
【００３９】
上述の動作によれば、ネットワークプラットフォーム１は、パブリックセーフティ・サービスに関する組織優先度、デバイス優先度、及びアプリケーション優先度のうち１つ又は任意の組み合わせをUE２によるLTEネットワークの選択に反映することができる。言い換えると、ネットワークプラットフォーム１は、パブリックセーフティ・サービスに関する組織優先度、デバイス優先度、及びアプリケーション優先度のうち１つ又は任意の組み合わせに基づいて、UE２によるLTEネットワークの選択を制御できる。
【００４０】
＜第２の実施形態＞
本実施形態は、第１の実施形態で説明されたネットワークプラットフォーム１の動作の変形例を提供する。本実施形態に係るPS-LTEネットワークの構成例は、図１及び図２に示された例と同様である。本実施形態では、ネットワークプラットフォーム１は、アプリケーション優先度、デバイス優先度、及び組織優先度のうち少なくとも１つをLTEネットワーク３又は４の負荷に依存して動的に変更し、これによりUE２により使用されるネットワーク選択パラメータを更新するよう構成される。
【００４１】
第１のLTEネットワーク３の負荷は、E-UTRAN３２の負荷であってもよいし、EPC３１の負荷であってもよい。E-UTRAN３２の負荷は、eNB３２１の負荷、又はeNB３２１により提供されるいずれかのセルの負荷であってもよい。E-UTRAN３２の負荷は、eNB３２１毎又はセル毎のUEsの数、コネクション（e.g., Radio Resource Control（RRC）コネクション）の数、又は無線リソース使用量（若しくは使用率）に関係してもよい。EPC３１の負荷は、いずれかのEPCノード（e.g., MME３１３、P-GW３１１）の負荷であってもよい。EPC３１の負荷は、EPCノードに関連付けられたUEsの数、コネクション（e.g., PDNコネクション）の数、又はユーザトラフィック量に関係してもよい。第２のLTEネットワーク４の負荷は、第１のLTEネットワーク３の負荷の負荷と同様に定義されてもよい。
【００４２】
ネットワークプラットフォーム１は、例えば、LTEネットワーク３（又は４）の監視システム（e.g., Element Management System（EMS））からLTEネットワーク３（又は４）の負荷を取得してもよい。
【００４３】
一例では、ネットワークプラットフォーム１は、高負荷状態のセル、eNB、又はEPCノードの負荷を減らすように、アプリケーション優先度、デバイス優先度、及び組織優先度のうち少なくとも１つを更新してもよい。より具体的には、例えば、ネットワークプラットフォーム１は、第１のLTEネットワーク３のEPCノードが高負荷状態であるときに、相対的に高いデータレートを必要とするアプリケーションの優先度を下げ、この更新されたアプリケーション優先度に基づくネットワーク選択パラメータを決定してもよい。これにより、ネットワークプラットフォーム１は、相対的に高いデータレートを必要とするアプリケーションに関するIPパケットフロー送信のために第２のLTEネットワーク４を選択するようにUEs２に促してもよい。
【００４４】
さらに又はこれに代えて、ネットワークプラットフォーム１は、第１のLTEネットワーク３内のあるセルが高負荷状態であるときに、当該セルに位置するUEs２のデバイス優先度を下げ、この更新されたアプリケーション優先度に基づくネットワーク選択パラメータを決定してもよい。これにより、ネットワークプラットフォーム１は、高負荷状態のセルに属するUEs２に第２のLTEネットワーク４を選択するよう促してもよい。
【００４５】
さらに又はこれに代えて、ネットワークプラットフォーム１は、第１のLTEネットワーク３内のあるeNB３２１が高負荷状態であるときに、当該eNB３２１を利用している１つ又はそれ以上のパブリックセーフティ組織の組織優先度を調整し、調整された組織優先度に基づくネットワーク選択パラメータを決定してもよい。これにより、ネットワークプラットフォーム１は、高負荷状態の基地局３２１に接続するUEs２に第２のLTEネットワーク４を選択するように促してもよい。
【００４６】
図５は、本実施形態に係るネットワークプラットフォーム１の動作の一例を示している。図５に示された動作は、ネットワークプラットフォーム１内の１つのサーバ（e.g., PSサーバ１１）により行われてもよいし、複数のサーバ（e.g., PSサーバ１１及びPSユーザデータベース１２）により行われてもよい。
【００４７】
ステップ５０１では、ネットワークプラットフォーム１は、LTEネットワーク３の負荷の増加に応答して、組織優先度、デバイス優先度、及びアプリケーション優先度のうち少なくとも１つを更新する。ステップ５０２では、ネットワークプラットフォーム１は、更新された優先度に基づいて、１又はそれ以上のUEs２のネットワーク選択パラメータを更新する。ステップ５０３では、ネットワークプラットフォーム１は、ステップ５０２で決定（又は更新）されたネットワーク選択パラメータを１又はそれ以上のUEs２に送る。
【００４８】
上述の動作によれば、ネットワークプラットフォーム１は、LTEネットワーク３又は４の負荷に応じて組織優先度、デバイス優先度、及びアプリケーション優先度のうち少なくとも１つを動的に変更でき、これによりUE２により使用されるネットワーク選択パラメータを動的に変更できる。
【００４９】
＜第３の実施形態＞
本実施形態は、第１の実施形態で説明されたネットワークプラットフォーム１の動作の変形例を提供する。本実施形態に係るPS-LTEネットワークの構成例は、図１及び図２に示された例と同様である。
【００５０】
本実施形態では、ネットワークプラットフォーム１は、アプリケーション優先度、デバイス優先度、及び組織優先度のうち少なくとも１つを災害イベントの発生に応答して動的に変更し、これによりUE２により使用されるネットワーク選択パラメータを更新するよう構成される。災害イベントは、例えば、地震、火山噴火、洪水、竜巻、津波、又は大規模火災であってもよい。
【００５１】
幾つかの実装では、ネットワークプラットフォーム１は、災害イベントの発生を示すメッセージを他のサーバから受信してもよいし、いずれかのアプリケーションから受信してもよい。
【００５２】
一例では、ネットワークプラットフォーム１は、発生した災害イベントに関連付けられた特定のパブリックセーフティ組織の組織優先度が相対的に高くなるように１又はそれ以上のパブリックセーフティ組織の組織優先度を調整し、調整された組織優先度に基づくネットワーク選択パラメータを決定してもよい。これにより、ネットワークプラットフォーム１は、発生した災害イベントに関連付けられたパブリックセーフティ組織に属するユーザのUEs２に第１のLTEネットワーク３を選択するよう促してもよい。一方、ネットワークプラットフォーム１は、発生した災害イベントに関連付けられていないパブリックセーフティ組織に属するユーザのUEs２に第２のLTEネットワーク４を選択するよう促してもよい。
【００５３】
さらに又はこれに代えて、ネットワークプラットフォーム１は、発生した災害イベントに関連付けられた特定のアプリケーションのアプリケーション優先度が相対的に高くなるように１又はそれ以上のアプリケーションのアプリケーション優先度を調整し、調整されたアプリケーション優先度に基づくネットワーク選択パラメータを決定してもよい。これにより、ネットワークプラットフォーム１は、発生した災害イベントに関連付けられたアプリケーションの通信のために第１のLTEネットワーク３を選択するようにUEs２に促してもよい。一方、ネットワークプラットフォーム１は、発生した災害イベントに関連付けられていないアプリケーションの通信のために第２のLTEネットワーク４を選択するようにUEs２に促してもよい。
【００５４】
さらに又はこれに代えて、ネットワークプラットフォーム１は、発生した災害イベントのエリアに位置するUEs２のデバイス優先度が相対的に高くなるように１又はそれ以上のUEs２のデバイス優先度を調整し、調整されたデバイス優先度に基づくネットワーク選択パラメータを決定してもよい。これにより、ネットワークプラットフォーム１は、発生した災害イベントのエリアに位置するUEs２に第１のLTEネットワーク３を選択するよう促してもよい。一方、ネットワークプラットフォーム１は、発生した災害イベントのエリアに位置していないUEs２に第２のLTEネットワーク４を選択するよう促してもよい。
【００５５】
図６は、本実施形態に係るネットワークプラットフォーム１の動作の一例を示している。図６に示された動作は、ネットワークプラットフォーム１内の１つのサーバ（e.g., PSサーバ１１）により行われてもよいし、複数のサーバ（e.g., PSサーバ１１及びPSユーザデータベース１２）により行われてもよい。
【００５６】
ステップ６０１では、ネットワークプラットフォーム１は、災害イベントの発生に応答して、組織優先度、デバイス優先度、及びアプリケーション優先度のうち少なくとも１つを更新する。ステップ６０２では、ネットワークプラットフォーム１は、更新された優先度に基づいて、１又はそれ以上のUEs２のネットワーク選択パラメータを更新する。ステップ６０３では、ネットワークプラットフォーム１は、ステップ６０２で決定（又は更新）されたネットワーク選択パラメータを１又はそれ以上のUEs２に送る。
【００５７】
上述の動作によれば、ネットワークプラットフォーム１は災害イベントの発生に応じて組織優先度、デバイス優先度、及びアプリケーション優先度のうち少なくとも１つを動的に変更でき、これによりUE２により使用されるネットワーク選択パラメータを動的に変更できる。
【００５８】
＜第４の実施形態＞
本実施形態は、第１〜第３の実施形態で説明されたネットワークプラットフォーム１の動作の変形例を提供する。本実施形態に係るPS-LTEネットワークの構成例は、図１及び図２に示された例と同様である。
【００５９】
本実施形態では、ネットワークプラットフォーム１は、LTEネットワーク３及び４の負荷に関するイベント並びに災害イベントと異なる他のイベントの発生に応答して、アプリケーション優先度、デバイス優先度、及び組織優先度のうち少なくとも１つを変更してもよい。
【００６０】
さらに又はこれに代えて、ネットワークプラットフォーム１は、アプリケーション優先度、デバイス優先度、及び組織優先度のうち１つ又は任意の組み合わせからネットワーク選択パラメータ（e.g., 無線品質に対するオフセット値）を導出するためのルール又は計算式を、所定のイベントの発生に応答して動的に変更してもよい。所定のイベントは、LTEネットワーク３又は４の負荷に関するイベント（e.g., 負荷の増加又は減少）であってもよいし、災害イベントであってもよいし、これらと異なる他のイベントであってもよい。
【００６１】
さらに又はこれに代えて、ネットワークプラットフォーム１は、所定のイベントの発生に応答して、アプリケーション優先度、デバイス優先度、及び組織優先度のいずれかをネットワーク選択パラメータを導出するためのルール又は計算式から除外してもよい。
【００６２】
図７は、本実施形態に係るネットワークプラットフォーム１の動作の一例を示している。図７に示された動作は、ネットワークプラットフォーム１内の１つのサーバ（e.g., PSサーバ１１）により行われてもよいし、複数のサーバ（e.g., PSサーバ１１及びPSユーザデータベース１２）により行われてもよい。
【００６３】
ステップ７０１では、ネットワークプラットフォーム１は、所定のイベントの発生に応答して、アプリケーション優先度、デバイス優先度、及び組織優先度のうち１つ又は任意の組み合わせからネットワーク選択パラメータを導出するためのルール又は計算式を更新する。ステップ７０２では、ネットワークプラットフォーム１は、更新されたルール又は計算式に基づいて、１又はそれ以上のUEs２に関するネットワーク選択パラメータを更新する。ステップ７０３では、ネットワークプラットフォーム１は、ステップ７０２で決定（又は更新）されたネットワーク選択パラメータを１又はそれ以上のUEs２に送る。
【００６４】
上述の動作によれば、ネットワークプラットフォーム１は、ネットワーク選択パラメータを導出するためのルール又は計算式を所定のイベントの発生に応答して変更でき、これによりUE２により使用されるネットワーク選択パラメータを動的に変更できる。
【００６５】
続いて以下では、上述の実施形態に係るネットワークプラットフォーム１内の１又はそれ以上のサーバ並びにUE２の構成例について説明する。図８は、PSサーバ１１の構成例を示している。ネットワークプラットフォーム１内の他のサーバも、図８の構成と同様であってもよい。図８を参照すると、PSサーバ１１は、ネットワークインターフェース８０１、プロセッサ８０２、及びメモリ８０３を含む。ネットワークインターフェース８０１は、他のサーバ（e.g., PSユーザデータベース１２、及びSIPコア１３）、EPC３１及びEPC４１内のノード（e.g., P-GW３１１、PCRF３１５、及びBM-SC３１６）、並びにその他のノードと通信するために使用される。ネットワークインターフェース８０１は、例えば、IEEE 802.3 seriesに準拠したネットワークインタフェースカード（NIC）を含んでもよい。
【００６６】
プロセッサ８０２は、メモリ８０３からソフトウェア（コンピュータプログラム）を読み出して実行することで、上述の実施形態において説明されたPSサーバ１１の処理を行う。プロセッサ８０２は、例えば、マイクロプロセッサ、Micro Processing Unit（MPU）、又はCentral Processing Unit（CPU）であってもよい。プロセッサ８０２は、複数のプロセッサを含んでもよい。
【００６７】
メモリ８０３は、揮発性メモリ及び不揮発性メモリによって構成される。メモリ８０３は、物理的に独立した複数のメモリデバイスを含んでもよい。揮発性メモリは、例えば、Static Random Access Memory（SRAM）若しくはDynamic RAM（DRAM）又はこれらの組み合わせである。不揮発性メモリは、マスクRead Only Memory（MROM）、Electrically Erasable Programmable ROM（EEPROM）、フラッシュメモリ、若しくはハードディスクドライブ、又はこれらの任意の組合せである。メモリ８０３は、プロセッサ８０２から離れて配置されたストレージを含んでもよい。この場合、プロセッサ８０２は、ネットワークインターフェース８０１又は図示されていないI/Oインタフェースを介してメモリ８０３にアクセスしてもよい。
【００６８】
メモリ８０３は、上述の複数の実施形態で説明されたPSサーバ１１による処理を行うための命令群およびデータを含む１又はそれ以上のソフトウェアモジュール（コンピュータプログラム）８０４を格納してもよい。いくつかの実装において、プロセッサ８０２は、当該ソフトウェアモジュール８０４をメモリ８０３から読み出して実行することで、上述の実施形態で説明されたPSサーバ１１の処理を行うよう構成されてもよい。
【００６９】
図９は、UE２の構成例を示している。Radio Frequency（RF）トランシーバ９０１は、eNB３２１と通信するためにアナログRF信号処理を行う。RFトランシーバ９０１は、複数のトランシーバを含んでもよい。RFトランシーバ９０１により行われるアナログRF信号処理は、周波数アップコンバージョン、周波数ダウンコンバージョン、及び増幅を含む。RFトランシーバ９０１は、アンテナアレイ９０２及びベースバンドプロセッサ９０３と結合される。RFトランシーバ９０１は、変調シンボルデータ（又はOFDMシンボルデータ）をベースバンドプロセッサ９０３から受信し、送信RF信号を生成し、送信RF信号をアンテナアレイ９０２に供給する。また、RFトランシーバ９０１は、アンテナアレイ９０２によって受信された受信ＲＦ信号に基づいてベースバンド受信信号を生成し、これをベースバンドプロセッサ９０３に供給する。
【００７０】
ベースバンドプロセッサ９０３は、無線通信のためのデジタルベースバンド信号処理（データプレーン処理）とコントロールプレーン処理を行う。デジタルベースバンド信号処理は、(a) データ圧縮／復元、(b) データのセグメンテーション／コンカテネーション、(c) 伝送フォーマット（伝送フレーム）の生成／分解、(d) 伝送路符号化／復号化、(e) 変調（シンボルマッピング）／復調、及び(f) Inverse Fast Fourier Transform（IFFT）によるOFDMシンボルデータ（ベースバンドOFDM信号）の生成などを含む。一方、コントロールプレーン処理は、レイヤ１（e.g., 送信電力制御）、レイヤ２（e.g., 無線リソース管理、及びhybrid automatic repeat request（HARQ）処理）、及びレイヤ３（e.g., アタッチ、モビリティ、及び通話管理に関するシグナリング）の通信管理を含む。
【００７１】
例えば、ベースバンドプロセッサ９０３によるデジタルベースバンド信号処理は、Packet Data Convergence Protocol（PDCP）レイヤ、Radio Link Control（RLC）レイヤ、Medium Access Control（MAC）レイヤ、およびPhysical（PHY）レイヤの信号処理を含んでもよい。また、ベースバンドプロセッサ９０３によるコントロールプレーン処理は、Non-Access Stratum（NAS）プロトコル、Radio Resource Control（RRC）プロトコル、及びMAC Control Element（CE）の処理を含んでもよい。
【００７２】
ベースバンドプロセッサ９０３は、ビームフォーミングのためのMIMOエンコーディング及びプリコーディングを行ってもよい。
【００７３】
ベースバンドプロセッサ９０３は、デジタルベースバンド信号処理を行うモデム・プロセッサ（e.g., Digital Signal Processor（DSP））とコントロールプレーン処理を行うプロトコルスタック・プロセッサ（e.g., CPU又はMPU）を含んでもよい。この場合、コントロールプレーン処理を行うプロトコルスタック・プロセッサは、後述するアプリケーションプロセッサ９０４と共通化されてもよい。
【００７４】
アプリケーションプロセッサ９０４は、CPU、MPU、マイクロプロセッサ、又はプロセッサコアとも呼ばれる。アプリケーションプロセッサ９０４は、複数のプロセッサ（複数のプロセッサコア）を含んでもよい。アプリケーションプロセッサ９０４は、メモリ９０６又は図示されていないメモリから読み出されたシステムソフトウェアプログラム（Operating System（OS））及び様々なアプリケーションプログラム（例えば、通話アプリケーション、WEBブラウザ、メーラ、カメラ操作アプリケーション、音楽再生アプリケーション）を実行することによって、UE２の各種機能を実現する。
【００７５】
幾つかの実装において、図９に破線（９０５）で示されているように、ベースバンドプロセッサ９０３及びアプリケーションプロセッサ９０４は、１つのチップ上に集積されてもよい。言い換えると、ベースバンドプロセッサ９０３及びアプリケーションプロセッサ９０４は、１つのSystem on Chip（SoC）デバイス９０５として実装されてもよい。SoCデバイスは、システムLarge Scale Integration（LSI）またはチップセットと呼ばれることもある。
【００７６】
メモリ９０６は、揮発性メモリ若しくは不揮発性メモリ又はこれらの組合せである。メモリ９０６は、物理的に独立した複数のメモリデバイスを含んでもよい。揮発性メモリは、例えば、SRAM若しくはDRAM又はこれらの組み合わせである。不揮発性メモリは、MROM、EEPROM、フラッシュメモリ、若しくはハードディスクドライブ、又はこれらの任意の組合せである。例えば、メモリ９０６は、ベースバンドプロセッサ９０３、アプリケーションプロセッサ９０４、及びSoC９０５からアクセス可能な外部メモリデバイスを含んでもよい。メモリ９０６は、ベースバンドプロセッサ９０３内、アプリケーションプロセッサ９０４内、又はSoC９０５内に集積された内蔵メモリデバイスを含んでもよい。さらに、メモリ９０６は、Universal Integrated Circuit Card（UICC）内のメモリを含んでもよい。
【００７７】
メモリ９０６は、上述の複数の実施形態で説明されたUE２による処理を行うための命令群およびデータを含む１又はそれ以上のソフトウェアモジュール（コンピュータプログラム）９０７を格納してもよい。幾つかの実装において、ベースバンドプロセッサ９０３又はアプリケーションプロセッサ９０４は、当該ソフトウェアモジュール９０７をメモリ９０６から読み出して実行することで、上述の実施形態で図面を用いて説明されたUE２の処理を行うよう構成されてもよい。
【００７８】
なお、上述の実施形態で説明されたUE２によって行われるコントロールプレーン処理及び動作は、RFトランシーバ９０１及びアンテナアレイ９０２を除く他の要素、すなわちベースバンドプロセッサ９０３及びアプリケーションプロセッサ９０４の少なくとも一方とソフトウェアモジュール９０７を格納したメモリ９０６とによって実現されることができる。
【００７９】
図８及び図９を用いて説明したように、上述の実施形態に係るサーバ（e.g., PSサーバ１１）及びUE２が有するプロセッサの各々は、図面を用いて説明されたアルゴリズムをコンピュータに行わせるための命令群を含む１又は複数のプログラムを実行する。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、これらのプログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００８０】
＜その他の実施形態＞
上述の実施形態は、各々独立に実施されてもよいし、適宜組み合わせて実施されてもよい。
【００８１】
上述の実施形態は、１又はそれ以上のパブリックセーフティ・サービスを提供するLTEシステム（i.e., PS-LTEシステム）を主な対象として説明された。しかしながら、これらの実施形態は、LTE以外のセルラー通信ネットワークを使用する公衆安全システムに適用されてもよい。
【００８２】
さらに、上述の実施形態は、異なる方式の複数のセルラー通信ネットワークを使用する公衆安全システムに適用されてもよい。一例では、複数のセルラー通信ネットワークのうち１つはLTEネットワークであり、他の１つはLTE以外のセルラー通信ネットワークであってもよい。
【００８３】
上述した実施形態は本件発明者により得られた技術思想の適用に関する例に過ぎない。当該技術思想は、上述した実施形態のみに限定されるものではなく、種々の変更が可能である。
【００８４】
この出願は、２０１９年３月２２日に出願された日本出願特願２０１９−０５５０９４を基礎とする優先権を主張し、その開示の全てをここに取り込む。
【符号の説明】
【００８５】
１  ネットワークプラットフォーム
２  UE
３  第１のLTEネットワーク
４  第２のLTEネットワーク
１１  PSサーバ
１２  PSユーザデータベース
１３  SIPコア
３１  EPC
３２  E-UTRAN
４１  EPC
４２  E-UTRAN
８０２  プロセッサ
８０３  メモリ
９０３  ベースバンドプロセッサ
９０４  アプリケーションプロセッサ
９０６  メモリ
【図１】
2020194940.tif 000003
【図２】
2020194940.tif 000004
【図３】
2020194940.tif 000005
【図４】
2020194940.tif 000006
【図５】
2020194940.tif 000007
【図６】
2020194940.tif 000008
【図７】
2020194940.tif 000009
【図８】
2020194940.tif 000010
【図９】
2020194940.tif 000011
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
１又はそれ以上のサーバを備えるシステムであって、
前記１又はそれ以上のサーバは、
第１のセルラー通信ネットワーク又は第２のセルラー通信ネットワークを介して、複数の無線端末の各々で実行されている１又はそれ以上のクライアント・アプリケーションと通信するよう構成され、
各クライアント・アプリケーションに関連付けられたアプリケーション優先度、各無線端末に関連付けられたデバイス優先度、及び前記複数の無線端末が属する組織に関連付けられた組織優先度のうち１つ又は任意の組み合わせに基づいて、前記システムと通信するために使用されるセルラー通信ネットワークを前記第１及び第２のセルラー通信ネットワークから選択するために各無線端末により使用されるネットワーク選択パラメータを決定するよう構成され、
前記ネットワーク選択パラメータを各無線端末に通知するよう構成される、
システム。
【請求項２】
前記ネットワーク選択パラメータは、前記第１のセルラー通信ネットワークの無線品質及び前記第２のセルラー通信ネットワークの無線品質を比較する際に、これら２つの無線品質のいずれかに加算されるオフセット値である、
請求項１に記載のシステム。
【請求項３】
前記少なくとも１つのサーバは、前記アプリケーション優先度、前記デバイス優先度、及び前記組織優先度のうち少なくとも２つを用いて前記ネットワーク選択パラメータを決定するよう構成される、
請求項１又は２に記載のシステム。
【請求項４】
前記少なくとも１つのサーバは、前記アプリケーション優先度、前記デバイス優先度、及び前記組織優先度のうち少なくとも１つを前記第１又は第２のセルラー通信ネットワークの負荷に依存して更新し、これにより前記ネットワーク選択パラメータを更新するよう構成される、
請求項１〜３のいずれか１項に記載のシステム。
【請求項５】
前記少なくとも１つのサーバは、前記アプリケーション優先度、前記デバイス優先度、及び前記組織優先度のうち１つ又は任意の組み合わせから前記ネットワーク選択パラメータを導出するためのルール又は計算式を前記セルラー通信ネットワークの負荷に依存して更新し、これにより前記ネットワーク選択パラメータを更新するよう構成される、
請求項１〜３のいずれか１項に記載のシステム。
【請求項６】
前記少なくとも１つのサーバは、前記アプリケーション優先度、前記デバイス優先度、及び前記組織優先度のうち少なくとも１つを所定のイベントの発生に応答して更新し、これにより前記ネットワーク選択パラメータを更新するよう構成される、
請求項１〜５のいずれか１項に記載のシステム。
【請求項７】
前記少なくとも１つのサーバは、前記アプリケーション優先度、前記デバイス優先度、及び前記組織優先度のうち１つ又は任意の組み合わせから前記ネットワーク選択パラメータを導出するためのルール又は計算式を所定のイベントの発生に依存して更新し、これにより前記ネットワーク選択パラメータを更新するよう構成される、
請求項１〜６のいずれか１項に記載のシステム。
【請求項８】
前記第１のセルラー通信ネットワークは、Public Safety Long Term Evolution（PS-LTE）ネットワークであり、
前記第２のセルラー通信ネットワークは、商用LTEネットワークである、
請求項１〜７のいずれか１項に記載のシステム。
【請求項９】
１又はそれ以上のサーバを備えるシステムにより行われる方法であって、
第１のセルラー通信ネットワーク又は第２のセルラー通信ネットワークを介して、複数の無線端末の各々で実行されている１又はそれ以上のクライアント・アプリケーションと通信すること、
各クライアント・アプリケーションに関連付けられたアプリケーション優先度、各無線端末に関連付けられたデバイス優先度、及び前記複数の無線端末が属する組織に関連付けられた組織優先度のうち１つ又は任意の組み合わせに基づいて、前記システムと通信するために使用されるセルラー通信ネットワークを前記第１及び第２のセルラー通信ネットワークから選択するために各無線端末により使用されるネットワーク選択パラメータを決定すること、及び
前記ネットワーク選択パラメータを各無線端末に通知すること、
を備える方法。
【請求項１０】
無線端末装置であって、
少なくとも１つのメモリと、
前記メモリに結合された少なくとも１つのプロセッサと、
を備え、
前記少なくとも１つのプロセッサは、
１又はそれ以上のクライアント・アプリケーションを実行し、第１のセルラー通信ネットワーク又は第２のセルラー通信ネットワークを介して、１又はそれ以上のサーバを含むシステムで実行されている１又はそれ以上のサーバ側アプリケーションと通信するよう構成され、
各クライアント・アプリケーションに関連付けられたアプリケーション優先度、前記無線端末装置に関連付けられたデバイス優先度、及び前記無線端末装置を含む複数の無線端末が属する組織に関連付けられた組織優先度のうち１つ又は任意の組み合わせに基づいて決定されたネットワーク選択パラメータを、前記システムから受信するよう構成され、
前記１又はそれ以上のサーバ側アプリケーションと通信するために使用されるセルラー通信ネットワークを前記第１及び第２のセルラー通信ネットワークから前記ネットワーク選択パラメータに基づいて選択するよう構成される、
無線端末装置。
【国際調査報告】
2020194940.tif 000012
2020194940.tif 000013
2020194940.tif 000014
2020194940.tif 000015